(57)【要約】【課題】被接続部材と接続されるコネクタ及びコネクタと被接続部材の接続解除方法を提供する。【解決手段】嵌合部８６を有する被接続部材８２と接続されるコンタクト６２と、コンタクト収容部５０と、被接続部材８２が配置される配置部５２とが形成されたハウジング１２と、を有するコネクタ１０であって、コンタクト収容部５０は、配置部５２を挟んだいずれか一方側に形成されており、コンタクト６２は、被接続部材８２がコンタクト収容部５０とは反対側に押圧される腕部７０を有し、配置部５２には、コンタクト収容部５０とは反対側の面からコンタクト収容部５０側に向かって突出した突起部５６が配置部５２の被接続部材８２の挿入方向に対して両側に形成されており、被接続部材８２が挿入された場合、被接続部材８２がコンタクト６２の腕部７０により押圧されると共に、嵌合部８６が突起部５６に嵌り込むように構成されている。【選択図】図９
2017103095.tif 000002
【特許請求の範囲】
【請求項１】
複数の導体部と、挿入方向側の両側面部側に形成された嵌合部とを有する被接続部材と接続される複数のコンタクトと、前記コンタクトが収容されるコンタクト収容部と、挿入された前記被接続部材が配置される配置部とが内部に形成されたハウジングと、を有するコネクタであって、
前記コンタクト収容部は、前記配置部を挟んだいずれか一方側に形成されており、
前記コンタクトは、前記被接続部材が前記コンタクト収容部とは反対側に押圧される腕部を有し、
前記配置部には、前記コンタクト収容部とは反対側の面から前記コンタクト収容部側に向かって突出した突起部が前記配置部の前記被接続部材の挿入方向に対して両側にそれぞれ形成されており、
前記被接続部材が挿入された場合、前記被接続部材が前記コンタクトの前記腕部により前記コンタクト収容部とは反対側に押圧されると共に、前記被接続部材の前記嵌合部が前記ハウジングの前記突起部に嵌り込むように構成されていることを特徴とするコネクタ。
【請求項２】
前記配置部は、前記被接続部材の厚さに比べて広く形成されており、
前記突起部の前記コンタクト収容部側には前記配置部の幅より狭く形成された隙間を有し、
挿入された前記被接続部材は、前記隙間に前記被接続部材の両側面側が通過する場合、前記被接続部材は、前記配置部の前記コンタクト収容部に隣接する側に配置され、
前記被接続部材の前記嵌合部が前記突起部を通過し、前記突起部と対応する位置に配置された場合、前記被接続部材が前記コンタクトの前記腕部により、前記配置部の前記コンタクト収容部とは反対側に押圧されて、前記突起部に前記嵌合部が嵌り込む構成とされていることを特徴とする請求項１に記載のコネクタ。
【請求項３】
前記コンタクトの前記腕部は、前記コンタクト収容部に収容された状態で前記配置部に形成された前記隙間を越えるようにして前記コンタクト収容部側とは反対側に突出されていることを特徴とする請求項１又は２に記載のコネクタ。
【請求項４】
前記ハウジングには、前記開口部とは反対側であって前記コンタクト収容部とは反対側に、前記配置部の一部が露出される切り欠き部が前記被接続部材の挿入方向に対して両側にそれぞれ形成され、
前記切り欠き部からは、挿入された前記被接続部材の一部が突出されるように構成されていることを特徴とする請求項１〜３のいずれかに記載のコネクタ。
【請求項５】
前記被接続部材が接続された状態において、前記切り欠き部から突出した部分の前記被接続部材が前記コンタクト収容部側に押圧されることで、前記被接続部材が前記コンタクトの前記腕部と共に前記コンタクト収容部側に移動され、前記突起部と前記嵌合部の嵌め合わせが解除される構成となっていることを特徴とする請求項４に記載のコネクタ。
【請求項６】
前記ハウジングには、前記切り欠き部から突出した前記被接続部材がまとめて押圧される押圧部を有する構成を備えたことを特徴とする請求項５に記載のコネクタ。
【請求項７】
前記ハウジングには、前記開口部とは反対側に前記コンタクトが挿入されるコンタクト挿入口が形成され、
前記コンタクトの前記腕部の端部が前記コンタクト挿入口から突出して配置されており、
前記切り欠き部から突出した前記被接続部材が押圧されると共に、前記コンタクト挿入口から突出された前記コンタクトの前記腕部の前記端部が前記コンタクト収容部側に押圧されることで、前記被接続部材が前記コンタクト収容部側に移動され、前記突起部と前記嵌合部の嵌め合わせが解除される構成となっていることを特徴とする請求項５に記載のコネクタ。
【請求項８】
前記ハウジングには、前記切り欠き部から突出した前記被接続部材を押圧する押圧部及び前記コンタクトの前記腕部の前記端部をまとめて押圧する押圧片を有する構成を備えたことを特徴とする請求項７に記載のコネクタ。
【請求項９】
請求項４に記載のコネクタに接続した前記被接続部材の接続解除方法であって、
前記切り欠き部から突出した部分の前記被接続部材を前記コンタクト収容部側に押圧することで、前記被接続部材により前記コンタクトの前記腕部を押圧すると共に、前記被接続部材が前記コンタクト収容部側に移動し、前記突起部と前記嵌合部の嵌め合わせを解除することを特徴とするコネクタの接続解除方法。
【発明の詳細な説明】
【技術分野】
【０００１】
本発明は、柔軟性を有するプリント基板としての被接続部材、例えば、ＦＰＣ（Ｆｌｅｘｉｂｌｅ  Ｐｒｉｎｔ  Ｃｉｒｃｕｉｔ）等と接続されるコネクタ及びコネクタの接続解除方法に関し、詳しくは、部品点数を減らし、容易に被接続部材と接続及びこの接続を解除することができるコネクタ及びコネクタの接続解除方法に関する。
【背景技術】
【０００２】
ＦＰＣと接続及びこの接続を解除する構成を有するコネクタとして、例えば、下記特許文献１にフレキシブル回路とロック部材との係止を解除することのできるコネクタの発明が開示されている。下記特許文献１のコネクタの発明によれば、接続対象物が前方から挿入されるコネクタ本体と、コネクタ本体に互いに幅方向に間隔をおいて保持された複数の端子と、コネクタ本体内に挿入された接続対象物の係止部に係止することにより接続対象物の反挿入方向への移動を規制するロック部材とを備えたコネクタにおいて、前記ロック部材にコネクタ本体の前後方向に延びるように設けられ、前端側を基点に後端側が上下方向に変位するように弾性変形可能な弾性片部と、弾性片部の前端側と後端側との間に上方に突出するように設けられ、接続対象物の係止部に接続対象物の反挿入方向への移動を規制するように係止する係止部と、弾性片部の後端側からコネクタ本体の上面よりも上方に延出するように設けられ、上端側を上方から下方及び前方から後方への何れの方向にも押圧可能に形成された操作部とを備え、コネクタ本体内に接続対象物が挿入されると、ロック部材の係止部が接続対象物の下面に接触しながら弾性片部が下方に弾性変形し、接続対象物の係止部がロック部材の係止部に達すると、弾性片部が上方に復元して係止部が接続対象物の係止部に係止し、操作部の上端側を上方から下方及び前方から後方への何れかの方向に押圧すると、弾性片部が下方に弾性変形してロック部材の係止部と接続対象物の係止部との係止が解除されるように構成したとしている。
【先行技術文献】
【特許文献】
【０００３】
【特許文献１】特開２０１４−０２２２１４号公報
【発明の概要】
【発明が解決しようとする課題】
【０００４】
しかし、上記特許文献１に開示されたコネクタでは、ロック部材が必要となり、部品点数が増え、製造工程が増加したり、製造費用が増加したりする課題がある。
【０００５】
本発明は上述のような従来技術の課題を解決するためになされたものであって、本発明の目的は、ＦＰＣとハウジングの接続及びこの接続の解除を容易に行うことができ、また、接続するための部品を省略することで部品点数を減らすと共に、組立て工数を減らすことで製造費用を減らすことができるコネクタ及びコネクタの接続解除方法を提供することにある。
【課題を解決するための手段】
【０００６】
上記目的を達成するために、本発明の第１の態様にかかるコネクタは、複数の導体部と、挿入方向側の両側面部側に形成された嵌合部とを有する被接続部材と接続される複数のコンタクトと、前記コンタクトが収容されるコンタクト収容部と、挿入された前記被接続部材が配置される配置部とが内部に形成されたハウジングと、を有するコネクタであって、
前記コンタクト収容部は、前記配置部を挟んだいずれか一方側に形成されており、
前記コンタクトは、前記被接続部材が前記コンタクト収容部とは反対側に押圧される腕部を有し、
前記配置部には、前記コンタクト収容部とは反対側の面から前記コンタクト収容部側に向かって突出した突起部が前記配置部の前記被接続部材の挿入方向に対して両側にそれぞれ形成されており、
前記被接続部材が挿入された場合、前記被接続部材が前記コンタクトの前記腕部により前記コンタクト収容部とは反対側に押圧されると共に、前記被接続部材の前記嵌合部が前記ハウジングの前記突起部に嵌り込むように構成されていることを特徴とする。
【０００７】
また、第２の態様のコネクタは、第１の態様のコネクタにおいて、前記配置部は、前記被接続部材の厚さに比べて広く形成されており、
前記突起部の前記コンタクト収容部側には前記配置部の幅より狭く形成された隙間を有し、
挿入された前記被接続部材は、前記隙間に前記被接続部材の両側面側が通過する場合、前記被接続部材は、前記配置部の前記コンタクト収容部に隣接する側に配置され、
前記被接続部材の前記嵌合部が前記突起部を通過し、前記突起部と対応する位置に配置された場合、前記被接続部材が前記コンタクトの前記腕部により、前記配置部の前記コンタクト収容部とは反対側に押圧されて、前記突起部に前記嵌合部が嵌り込む構成とされていることを特徴とする。
【０００８】
また、第３の態様のコネクタは、第１又は第２の態様のコネクタにおいて、前記コンタクトの前記腕部は、前記コンタクト収容部に収容された状態で前記配置部に形成された前記隙間を越えるようにして前記コンタクト収容部側とは反対側に突出されていることを特徴とする。
【０００９】
また、第４の態様のコネクタは、第１〜第３のいずれかの態様のコネクタにおいて、前記ハウジングには、前記開口部とは反対側であって前記コンタクト収容部とは反対側に、前記配置部の一部が露出される切り欠き部が前記被接続部材の挿入方向に対して両側にそれぞれ形成され、
前記切り欠き部からは、挿入された前記被接続部材の一部が突出されるように構成されていることを特徴とする。
【００１０】
また、第５の態様のコネクタは、第４の態様のコネクタにおいて、前記被接続部材が接続された状態において、前記切り欠き部から突出した部分の前記被接続部材が前記コンタクト収容部側に押圧されることで、前記被接続部材が前記コンタクトの前記腕部と共に前記コンタクト収容部側に移動され、前記突起部と前記嵌合部の嵌め合わせが解除される構成となっていることを特徴とする。
【００１１】
また、第６の態様のコネクタは、第５の態様のコネクタにおいて、前記ハウジングには、前記切り欠き部から突出した前記被接続部材がまとめて押圧される押圧部を有する構成を備えたことを特徴とする。
【００１２】
また、第７の態様のコネクタは、第５の態様のコネクタにおいて、前記ハウジングには、前記開口部とは反対側に前記コンタクトが挿入されるコンタクト挿入口が形成され、
前記コンタクトの前記腕部の端部が前記コンタクト挿入口から突出して配置されており、
前記切り欠き部から突出した前記被接続部材が押圧されると共に、前記コンタクト挿入口から突出された前記コンタクトの前記腕部の前記端部が前記コンタクト収容部側に押圧されることで、前記被接続部材が前記コンタクト収容部側に移動され、前記突起部と前記嵌合部の嵌め合わせが解除される構成となっていることを特徴とする。
【００１３】
また、第８の態様のコネクタは、第７の態様のコネクタにおいて、前記ハウジングには、前記切り欠き部から突出した前記被接続部材を押圧する押圧部及び前記コンタクトの前記腕部の前記端部をまとめて押圧する押圧片を有する構成を備えたことを特徴とする。
【００１４】
第９の態様のコネクタの接続解除方法は、第４の態様のコネクタに接続した前記被接続部材の接続解除方法であって、
前記切り欠き部から突出した部分の前記被接続部材を前記コンタクト収容部側に押圧することで、前記被接続部材により前記コンタクトの前記腕部を押圧すると共に、前記被接続部材が前記コンタクト収容部側に移動し、前記突起部と前記嵌合部の嵌め合わせを解除することを特徴とする。
【発明の効果】
【００１５】
第１の態様のコネクタによれば、被接続部材を挿入するだけで、コンタクトとの接続と、ハウジングとの固定を容易に行うことができる。
【００１６】
また、第２の態様のコネクタによれば、被接続部材は配置部内を移動することで、嵌合部と突起部の嵌め合わせを簡単な構成とすることができる。
【００１７】
また、第３の態様のコネクタによれば、腕部により被接続部材が隙間を越える位置まで押圧されるので、嵌合部に突起部を固定することができる。
【００１８】
また、第４の態様のコネクタによれば、接続された被接続部材を視覚的に確認することができる。
【００１９】
また、第５の態様のコネクタによれば、簡単な構成で突起部と嵌合部の嵌め合わせを解除することができる。
【００２０】
また、第６の態様のコネクタによれば、ワンタッチで突起部と嵌合部の嵌め合わせを解除することができる。
【００２１】
また、第７の態様のコネクタによれば、被接続部材の押圧に加え、被接続部材をコンタクト収容部側とは反対側に押圧しているコンタクトの腕部もコンタクト収容部側に押圧されることで、より確実に突起部と嵌合部の嵌め合わせを解除することができる。
【００２２】
また、第８の態様のコネクタによれば、ワンタッチでより効率よく突起部と嵌合部の嵌め合わせを解除することができる。
【００２３】
また、第９の態様のコネクタと被接続部材の接続解除方法によれば、容易に被接続部材との接続を解除することができる。簡単な構成で突起部と嵌合部の嵌め合わせを解除することができる。
【図面の簡単な説明】
【００２４】
【図１】図１Ａは実施形態のコネクタと被接続部材の接続前の斜視図であり、図１Ｂは接続後の斜視図である。
【図２】図２Ａはコネクタの斜視図であり、図２Ｂは他の方向から見た斜視図である。
【図３】図３Ａはコネクタの正面図であり、図３Ｂは背面図であり、図３Ｃは一方から見た側面図である。カード部材の斜視図であり、図３Ｂは平面図であり、図３Ｃは図１ＢのIIIC−IIIC線での断面図である。
【図４】図４Ａはコネクタの平面図であり、図４Ｂは底面図である。
【図５】図５Ａは図４ＡのＶＡ−ＶＡ線での断面図であり、図５Ｂは図４ＡのＶＢ−ＶＢ線での断面図である。
【図６】図６Ａはコンタクトの斜視図であり、図Ｂは一方から見た側面図である。
【図７】図７Ａはコネクタと被接続部材の接続の工程を示す図１ＡのVIIA−VIIA線に対応する断面図であり、図７Ｂは図７Ａに続く工程を示す底面図であり、図７Ｃは図７Ｂに続く工程であって、接続した状態を示す断面図である。
【図８】図８Ａはコネクタと被接続部材の接続の工程を示す図１ＡのVIIIA−VIIIA線に対応する断面図であり、図８Ｂは図８Ａに続く工程を示す底面図であり、図８Ｃは図８Ｂに続く工程であって、接続した状態を示す断面図である。
【図９】図９Ａはコネクタから被接続部材を取り外す際の接続解除方法を示した図８Ａに対応する断面図であり、図９Ｂは図７Ａに対応する断面図である。
【図１０】図１０Ａはコネクタから被接続部材を取り外す際の他の接続解除方法を示した図９Ａに対応する断面図であり、図１０Ｂは図９Ｂに対応する断面図である。
【発明を実施するための形態】
【００２５】
以下、図面を参照して本発明の実施形態を説明する。但し、以下に示す実施形態は、本発明の技術思想を具体化するためのコネクタ及びコネクタの接続解除方法を例示するものであって、本発明をこれに特定することを意図するものではなく、特許請求の範囲に含まれるその他の実施形態のものにも等しく適応し得るものである。
【００２６】
［実施形態］
まず、図１〜図６を参照して、実施形態に係るコネクタ１０について説明する。実施形態に係るコネクタ１０は、図１〜図５に示すように、複数のコンタクト６２と、一方に被接続部材としてのＦＰＣ８２が挿入される開口部１６が形成され、内部にコンタクト６２が収容される複数のコンタクト収容部５０が形成されたハウジング１２と、被取付部材としての例えば、回路基板等に固定される固定部８０を有する固定部材７８と、を有している。
【００２７】
ここで、実施形態のコネクタ１０に接続される被接続部材としてのＦＰＣ８２は、例えば、図１に示すように、柔軟性を有する基材上に回路配線（図示省略）が形成され、基板部分にコネクタ１０内の複数のコンタクト６２と接触される複数の導体部９０（図７参照）が形成されたものが用いられる。このとき、ＦＰＣ８２の挿入方向に対して両側面部８４側には、一部が切りかかれた嵌合部としての窪み部８６が形成されている。そして、ＦＰＣ８２に窪み部８６が形成されることで、ＦＰＣ８２の窪み部８６から先端側には窪み部８６より突出した突出部８８がそれぞれ形成されている。
【００２８】
また、実施形態のコネクタ１０は、ハウジング１２のＦＰＣ８２が挿入される開口部１６とは反対側であって、ハウジング１２の両側面側に、挿入されたＦＰＣ８２が固定される一対の突起部５６が形成されており、この突起部５６にＦＰＣ８２に形成された窪み部８６が嵌り込むことで、ＦＰＣ８２の接続の固定が行われるようになる。
【００２９】
さらに、ハウジング１２には、装着されたＦＰＣ８２が露出される切り欠き部３４が形成されており、この切り欠き部３４からＦＰＣ８２の露出した部分を押圧することで、ハウジング１２との固定を解除することができるようになる。
【００３０】
なお、実施形態のコネクタ１０に接続されるものは、ＦＰＣのほか、平型ケーブルとしての、ＦＦＣ（Ｆｌｅｘｉｂｌｅ  Ｆｌａｔ  Ｃａｂｌｅ）等を用いてもよい。
【００３１】
以下、実施形態のコネクタ１０を構成する各部材について説明する。ハウジング１２は、図１〜図５に示すように、一方にＦＰＣ８２が挿入される開口部１６が形成された前面１４と、前面１４と対向し、複数のコンタクト６２が挿入されるコンタクト挿入口２２が形成された後面２０と、所定面積を有する平坦な面であって、一部が切り欠かれた上面２４と、上面２４と対向し、回路基板等に載置される側の底面２６と、一方の側面３０及び他方の側面３２を有する平坦な直方体状であって、電気絶縁性の樹脂材料等で形成されている。
【００３２】
また、ハウジング１２の内部には、図５に示すように、前面１４に形成された開口部１６と後面２０に形成された複数のコンタクト挿入口２２とが連通される内部空間４８を有している、この内部空間４８は、開口部１６側に形成される挿入されたＦＰＣ８２が配置される配置部５２と、コンタクト挿入口２２側に形成される複数のコンタクト６２が収容されるコンタクト収容部５０とを有している。そして、コンタクト収容部５０に収容されたコンタクト６２と配置部５２に配置されたＦＰＣ８２とがハウジング１２の内部で接続されるようになる。
【００３３】
また、ハウジング１２の後面２０側であって一方の側面３０側及び他方の側面３２側には、上面２４から底面２６に向かって切りかかれた切り欠き部３４がそれぞれ形成されている。この切り欠き部３４は、ハウジング１２の内部空間４８の配置部５２の一部が露出して形成されており、この切り欠き部３４からＦＰＣ８２の一部が突出される部分となる。また、このＦＰＣ８２の突出された部分を操作することでコネクタ１０との接続の解除を行なうことができるようになる。
【００３４】
ハウジング１２の前面１４は、開口部１６が形成されており、平らなＦＰＣ８２が挿入されるよう平型に形成されている。また、前面１４の一方の側面３０側及び他方の側面３２側であって底面２６側には、固定部材７８が装着される固定部材装着部１８がそれぞれ形成されている。
【００３５】
ハウジング１２の後面２０は、複数のコンタクト挿入口２２が所定の間隔で形成されている。また、後面２０の一方の側面３０側及び他方の側面３２側であって上面２４側には、切り欠き部３４を形成するために一部が切りかかれている。
【００３６】
なお、コンタクト挿入口２２は、縦方向、すなわち、上面２４側から底面２６側に亘って縦長に形成されている。このコンタクト挿入口２２は、縦長に形成されることで、後述するコンタクト６２の腕部７０の端部７６（図６参照）が反復移動することができるようにされている。
【００３７】
ハウジング１２の上面２４は、所定面積を有する平面状に形成されており、この上面２４の後面２０側であって一方の側面３０側及び他方の側面３２側には、切り欠き部３４を形成するために一部が切りかかれている。
【００３８】
ハウジング１２の底面２６は、回路基板等に載置される側であって、回路基板に直接載置される部分として一部が盛り上がって形成さている。
【００３９】
また、後面２０の前面１４側であって、一方の側面３０側及び他方の側面３２側には、固定部材７８が装着される固定部材装着部１８がそれぞれ形成されており、後述する固定部材７８の固定部８０（図５参照）が突出されるようになっている。
【００４０】
一方の側面３０及び他方の側面３２は、それぞれ所定面積の平面で形成されており、後面２０側に切り欠き部３４を形成するために一部が切りかかれている。
【００４１】
ハウジング１２に形成された切り欠き部３４は、図１〜図５に示すように、ハウジング１２の後面２０側の一方の側面３０側及び他方の側面３２側を、上面２４側から略直方体状に切り欠いた状態で形成されている。この切り欠き部３４は、上面２４と平行な切り欠き上面４０と、後面２０と平行な切り欠き後面３６と、一方の側面３０及び他方の側面３２と平行な一方の切り欠き側面４２と他方の切り欠き側面４４とを有している。
【００４２】
また、切り欠き部３４が形成されることで、ハウジング１２の内部に形成された配置部５２の一部が露出されるようになっており、切り欠き部３４の切り欠き後面３６には、挿入されたＦＰＣ８２の突出部８８が挿通される後面側挿通孔３８がそれぞれ形成されている。この後面側挿通孔３８は、ハウジング１２内に突起部５６が形成された部分に設けられるため、前面１４に形成された他の配置部５２の幅よりも狭い幅となっている。なお、この切り欠き後面３６は突起部５６を構成する面ともなる。
【００４３】
また、一方の切り欠き側面４２及び他方の切り欠き側面４４には、ハウジング１２の内部の配置部５２と連通され、挿入されたＦＰＣ８２の突出部８８が挿通される側面側挿通孔４６がそれぞれ形成されている。この側面側挿通孔４６は、一方の切り欠き側面４２及び他方の切り欠き側面４４の略中央部分から切り欠き上面４０に亘って、所定の幅で形成されており、挿通されたＦＰＣ８２の先端側の突出部８８のそれぞれが側面側挿通孔４６内を移動できるようになっている。
【００４４】
また、ハウジング１２の内部に形成された内部空間４８は、図５に示すように、コンタクト６２が収容されるコンタクト収容部５０とＦＰＣ８２が配置される配置部５２が形成されている。コンタクト収容部５０は、収容されるコンタクト６２に応じて複数形成されており、それぞれが仕切り壁５４により仕切られている。また、コンタクト収容部５０には、ハウジング１２の底面２６側にコンタクト６２が置かれる載置部２８を有しており、また、コンタクト６２は仕切り壁５４により挟持されることで装着され、収容されるようになる。なお、コンタクト収容部５０の仕切り壁５４は、ＦＰＣ８２が挿入される配置部５２と対応する部分が切りかかれて形成されている。
【００４５】
突起部５６は、図３及び図５に示すように、ハウジング１２の内部の配置部５２の一方の側面３０側及び他方の側面３２側であって、コンタクト収容部５０が形成された側とは反対側の面、すなわち上面２４側からコンタクト収容部５０が形成された側、すなわち底面２６側に向かって突出した直方体状の突起物でそれぞれ形成されている。なお、実施形態の突起部５６は、配置部５２のコンタクト収容部５０とは重ならない端部に形成されており、挿入されたＦＰＣ８２の導体部９０と接触しないようになっている。
【００４６】
さらに、突起部５６は、前面１４からハウジング１２の切り欠き部３４の切り欠き後面３６に至るまで形成されており、開口部１６側の突起部５６には、ＦＰＣ８２が円滑に挿入できるように、傾斜した傾斜面５８が形成されている。なお、突起部５６の下側、すなわち、配置部５２の底面２６側と突起部５６との間には、ＦＰＣ８２が挿通可能な幅の隙間６０が形成されている。この隙間６０はＦＰＣ８２が挿入される前面１４の開口部１６より狭くなっている。実施形態では、この突起部５６の隙間６０に、ＦＰＣ８２の突出部８８が通過するようになる。
【００４７】
次に、コンタクト６２について説明する。なお、実施形態のコネクタ１０に装着される複数のコンタクト６２は、それぞれ共通する構成となっているので、代表して１つのコンタクト６２について説明する。
【００４８】
コンタクト６２は、図５及び図６に示すように、一本の金属製の棒状体の一部を折り曲げて形成されており、この折り曲げられた屈曲部６４を挟んで、直線状に形成された本体部６６と、屈曲部６４を軸に反復移動可能な腕部７０とを有している。また、本体部６６の屈曲部６４とは反対側の端部には、回路基板等と半田付け等で接続される接続部６８が形成されている。この接続部６８は、本体部６６の端部側の一部が直角に複数回屈曲された、いわゆるクランク状に形成されている。
【００４９】
また、腕部７０には、本体部６６と離れるように傾斜した傾斜部７２を有し、この傾斜部７２の頂部には、山状に形成され、ＦＰＣ８２の導体部９０と接触される接触部７４が突出して形成されている。さらに、この接触部７４の先の腕部７０は、その端部７６まで本体部６６と略平行となっている。
【００５０】
そして、コンタクト６２は、ハウジング１２のコンタクト収容部５０に収容された場合、ハウジング１２の底面２６側の載置部２８に本体部６６が載置され、また、開口部１６側に屈曲部６４、コンタクト挿入口２２側に接続部６８がそれぞれ配置されるようになる。また、コンタクト６２の腕部７０は、コンタクト収容部５０内及びコンタクト挿入口２２を反復移動可能となるようにされている。
【００５１】
また、固定部材７８は、所定の厚さを有する金属製の板体を、打ち抜き加工することで形成されており、固定部材７８の下方側、すなわち、ハウジング１２の底面２６側に配置される部分には、回路基板と半田付け等で固定される固定部８０を有している。なお、固定部材は、任意の形状とすることができる。
【００５２】
次に、図１〜図５を参照して、実施形態のコネクタ１０の組立てについて説明する。コネクタ１０の組み立ては、まず、ハウジング１２の後面２０の形成されたコンタクト挿入口２２からコンタクト６２の屈曲部６４を先にして挿入する。なお、コンタクト６２は複数をまとめて挿入するようにしてもよい。その後、コンタクト収容部５０の各仕切り壁５４の間を摺動するようにして挿入を続け、コンタクト６２の本体部６６を載置部２８上に載置する。
【００５３】
ハウジング１２のコンタクト収容部５０にすべてのコンタクト６２を収容すると、コンタクト６２の腕部７０及び接触部７４がハウジング１２の配置部５２に対応する位置に配置され、また、接触部７４はコンタクト収容部５０の上面２４側に隣接する位置、具体的には、挿入されたＦＰＣ８２と接触することができる位置に配置されるようになる。このとき、腕部７０は、突起部５６の下側に形成された隙間６０の高さを越えるようにしてコンタクト収容部５０側とは反対側に突出され、腕部７０に形成された接触部７４が最も高い位置になる。
【００５４】
また、ハウジング１２のコンタクト収容部５０に収容されたコンタクト６２は、ハウジング１２のコンタクト挿入口２２から、本体部６６の接続部６８と、腕部７０の端部７６が突出した状態で配置されるようになる。その後、ハウジング１２の前面１４側から固定部材７８を挿入して、固定部材装着部１８に装着させる。以上で、実施形態のコネクタ１０の組み立てが完了する。
【００５５】
なお、コネクタ１０を回路基板に取り付ける場合は、回路基板上の所定の位置にコネクタ１０の固定部材７８の固定部８０及び各コンタクト６２の接続部６８をはんだ付け等により行う。
【００５６】
次に、主に図７及び図８を参照してコネクタ１０へのＦＰＣ８２の接続方法について説明する。コネクタ１０へのＦＰＣ８２の接続の仕方は、まず、図７Ａ及び図８Ａに示すように、ハウジング１２の開口部１６へＦＰＣ８２の先端側、すなわち、ＦＰＣ８２の両側面部８４に窪み部８６が形成された側を先にして挿入する。この挿入のとき、ハウジング１２内の配置部５２の一方の側面３０側及び他方の側面３２側に形成された各突起部５６の下側にＦＰＣ８２の両側面部８４の突出部８８が当接する。そして、ＦＰＣ８２の挿入を進めると、突起部５６の傾斜面５８に沿ってＦＰＣ８２の突出部８８が突起部５６の下側の隙間６０を進むと共に、ＦＰＣ８２全体が配置部５２の底面２６側、すなわちコンタクト６２に隣接する側を進むようになる。
【００５７】
さらにＦＰＣ８２の挿入を進めると、ＦＰＣ８２の先端側がコンタクト６２の腕部７０の傾斜部７２と接触する。この状態で、さらに挿入を進めると、ＦＰＣ８２が突起部５６の下方を通過することでＦＰＣ８２全体がコンタクト６２側に沿って移動するため、ＦＰＣ８２がコンタクト６２の傾斜部７２を押圧しながら進み、腕部７０全体が屈曲部６４を軸に弾性変形して、腕部７０が本体部６６に近づくように移動するようになる（図７Ｂ及び図８Ｂ参照）。このとき、腕部７０の接触部７４がＦＰＣ８２の導体部９０と接触するようになる。
【００５８】
そして、さらにＦＰＣ８２の挿入を進め、ＦＰＣ８２の突出部８８が突起部５６を通過すると、ハウジング１２の切り欠き後面３６の後面側挿通孔３８及び一方の切り欠き側面４２並びに他方の切り欠き側面４４の側面側挿通孔４６から切り欠き部３４に突出部８８が突出して露出し、所定の位置に達すると共に、突起部５６とＦＰＣ８２の窪み部８６が対応する位置に配置するようになる。すると、突起部５６により配置部５２の下方を移動していたＦＰＣ８２は、弾性変形したコンタクト６２の腕部７０の弾性力により、上方、すなわち、ハウジング１２の上面２４側に押圧されるようになり、窪み部８６に突起部５６が嵌まり込むようになる（図１Ｂ、図７Ｃ及び図８Ｃ参照）。
【００５９】
このとき、ＦＰＣ８２は、コンタクト６２の腕部７０により、常に上方に押圧する力を受けているため、ＦＰＣ８２が下方に移動することがなく、突起部５６と窪み部８６は嵌め合わされた状態を保つことで、突起部５６と突出部８８とを固定することができ、コネクタ１０とＦＰＣ８２の接続が完了する。なお、コネクタ１０にＦＰＣ８２の接続が完了した状態では、ハウジング１２の切り欠き部３４から、ＦＰＣ８２の突出部８８が露出された状態となっている（図１Ｂ参照）。また、ＦＰＣ８２が上方に移動するとき、ＦＰＣ８２の突出部８８は、一方の切り欠き側面４２及び他方の切り欠き側面４４の側面側挿通孔４６に沿って移動するようになる。
【００６０】
次に、主に図９を参照して、コネクタ１０とＦＰＣ８２の接続を解除する方法について説明する。コネクタ１０とＦＰＣ８２の接続の解除の仕方は、まず、コネクタ１０に接続したＦＰＣ８２の固定の解除を行う。この固定の解除は、ハウジング１２の切り欠き部３４から露出したＦＰＣ８２の突出部８８を下方、すなわち、コンタクト収容部５０側に押圧（図９Ａの矢印Ｆ１参照）することで行う。このとき、押圧したＦＰＣ８２の突出部８８と共にＦＰＣ８２全体が下方に移動する。そして、このＦＰＣ８２全体の移動により、各コンタクト６２の接触部７４と共に腕部７０が押圧されて、屈曲部６４を軸に腕部７０が本体部６６に近づくように移動する。このとき、ＦＰＣ８２の突出部８８は、一方の切り欠き側面４２及び他方の切り欠き側面４４の側面側挿通孔４６に沿って移動する。
【００６１】
このように、コンタクト６２の腕部７０が移動することで、ＦＰＣ８２を押圧していた弾性力が抑えられ、また、ＦＰＣ８２が下方に移動することで、ハウジング１２の突起部５６からＦＰＣ８２の窪み部８６が外れ、ハウジング１２の突起部５６によるＦＰＣ８２の窪み部８６の固定が解除される。その後、固定の解除されたＦＰＣ８２を引き抜くことで、コネクタ１０からＦＰＣ８２を取り外し、接続の解除が完了する。
【００６２】
なお、上記では、ＦＰＣ８２の固定の解除のため、ＦＰＣ８２の突出部８８のみを押圧した場合を説明したが、図１０に示すように、ハウジング１２のコンタクト挿入口２２から突出したコンタクト６２の腕部７０の端部７６をＦＰＣ８２の突出部８８を押圧すると共に押圧するようにしてもよい。すなわち、ＦＰＣ８２の突出部８８を押圧することによりコンタクト６２の腕部７０を押圧（図１０Ａの矢印Ｆ１参照）すると共に、コンタクト６２の腕部７０の端部７６を押圧（図１０Ａ、図１０Ｂの矢印Ｆ２参照）することで、コンタクト６２の腕部７０の上方への押圧力をより抑えることができるため、ハウジング１２の突起部５６とＦＰＣ８２の窪み部８６との固定をより容易に解除することができるようになる。
【００６３】
さらに、ハウジングに挿入されたＦＰＣの先端部をハウジングの後面から突出するようにし、この突出したＦＰＣの先端部をＦＰＣの突出部と共に押圧するようにしてもよい。このようにすることで、ＦＰＣによるコンタクトの腕部の押圧が、より行いやすくなり、固定の解除を容易に行うことができるようになる。
【００６４】
また、コンタクト６２の腕部７０の端部７６を押圧する場合、複数の腕部の端部をまとめて押圧するために、板体や棒状体等で形成された押圧片を備えた治具を用いるようにしてもよい。なお、治具には、コンタクトの腕部の端部と共に、ＦＰＣの突出部を押圧できるような押圧部を備えた構造としてもよい。
【００６５】
また、ＦＰＣの固定を解除するための治具は別体としてではなく、治具と同様の構成を備えたレバー等の押圧機構をハウジングに備えるようにしてもよい。
【００６６】
なお、実施形態では、ハウジング１２内の突起部５６と嵌め合わせられるＦＰＣ８２の嵌合部として窪み部８６を説明したが、これに限らず、ＦＰＣの厚さ方向に貫通した孔を形成し、この孔に突起部を嵌め合わせるようにしてもよい。
【符号の説明】
【００６７】
１０：コネクタ  １２：ハウジング  １４：前面  １６：開口部  １８：固定部材装着部  ２０：後面  ２２：コンタクト挿入口  ２４：上面  ２６：底面  ２８：載置部  ３０：一方の側面  ３２：他方の側面  ３４：切り欠き部  ３６：切り欠き後面  ３８：後面側挿通孔  ４０：切り欠き上面  ４２：一方の切り欠き側面  ４４：他方の切り欠き側面  ４６：側面側挿通孔  ４８：内部空間  ５０：コンタクト収容部  ５２：配置部  ５４：仕切り壁  ５６：突起部  ５８：傾斜面  ６０：隙間  ６２：コンタクト  ６４：屈曲部  ６６：本体部  ６８：接続部  ７０：腕部  ７２：傾斜部  ７４：接触部  ７６：端部  ７８：固定部材  ８０：固定部  ８２：ＦＰＣ（被接続部材）  ８４：側面部  ８６：窪み部（嵌合部）  ８８：突出部  ９０：導体部
【図１】
2017103095.tif 000003
【図２】
2017103095.tif 000004
【図３】
2017103095.tif 000005
【図４】
2017103095.tif 000006
【図５】
2017103095.tif 000007
【図６】
2017103095.tif 000008
【図７】
2017103095.tif 000009
【図８】
2017103095.tif 000010
【図９】
2017103095.tif 000011
【図１０】
2017103095.tif 000012